(57)【要約】      （修正有）【課題】外部からの補助なしで、包装の開封時を記録することができる包装開封日付表示部を提供する。【解決手段】製品又は食料品の包装に製造又は付着されるユニットである、包装開封日付表示部において、時間的性質を示す見出しパラメータ１Ｂと、各時間的性質の単位を示す選択値２Ｂと、表示部のカバーストリップ５に結合された表示部開封機構３Ｂとを有する。【選択図】図３
0003233828.tif 000002
【実用新案登録請求の範囲】
【請求項１】
製品又は食料品の包装に製造又は付着されるユニットである、包装開封日付表示部において、時間的性質を示す見出しパラメータ（１Ａ、１Ｂ）と、各時間的性質の単位を示す選択値（２Ａ、２Ｂ）と、前記表示部のカバーストリップ（２Ａ、５）に結合された表示部開封機構（３Ａ、３Ｂ）とを有することを特徴とする、包装開封日付表示部。
【請求項２】
開封機構（３Ａ、３Ｂ）を使用して、前記表示部のカバーストリップ（２Ａ、５）を所望の箇所から剥離及び切断することにより、位置合わせ線（４Ａ、４Ｂ）を形成し、当該位置合わせ線は、選択値（２Ａ）と見出しパラメータ（１）とを相互に結合することを特徴とする、請求項１に記載の包装開封日付表示部。
【請求項３】
開封機構（３Ａ、３Ｂ）のいずれかが開封されることにより、複数のカバーストリップ（２Ａ、５）が同時に剥離され、所望の選択値（２）と見出しパラメータ（１）とを相互に結合可能にすることを特徴とする、請求項１に記載の包装開封日付表示部。
【考案の詳細な説明】
【技術分野】
【０００１】
本考案は、食品包装又は製品包装の開封日付を記録することに関する。本考案は、未開封包装よりも、開封された包装で使用可能な期間が短い製品を企図している。このような食料品及び製品の包装は、開封後の内容物について保存期間を示さなければならない。よって別個の記録がなければ、包装をいつ開封したかは、開封者の記憶に頼ることになる。使用者にとって最も一般的な解決法は、ペンで包装に開封の日付を記録することである。
【０００２】
何ら記録されず、また製品の使用者が包装をいつ開封したかを覚えていない場合、傷んでいる可能性のある製品を使用する危険性がある一方で、内容物の期限切れが疑われて廃棄されると、不必要な製品ロスにつながる。また、製品について複数の使用者がいる場合、包装の開封者のみが開封の時点を知っている場合には、前述の問題が生じ得る。
【０００３】
本考案は、製造段階で又は製造後に、包装に直接付加される表示部であり、当該表示部により使用者は、外部からの補助なしで、包装の開封時を記録することができる。この目的を達成するため、本考案は、請求項１の特徴部に規定した特徴部によって特徴づけられる。
【０００４】
本考案は、その構造に起因して、食品、化粧品、又はその他の腐敗しやすい内容物であるか否かを問わず、様々な種類及び大きさの包装で使用するのに適している。時間的な１つ又は複数の性質は、必要性に最も適したいずれかの形（日、月、年）に従って選択することもできる。従来の３１の選択可能な日付視認部に代えて、１０の位（０〜３）及び１の位（０〜９）という合計１４の値が、別個に選択される。これにより、使用可能でありつつ、相対的に小さなスペースで表示部を実装することができる。この表示部は例えば、二層のステッカーとして実装することができ、当該表示部は、包装に付着されるか、又は包装の表面（下層）に一部直接、別個のカバー表面（表示部の上層）とともに、作製される。
【０００５】
以下、本考案を添付図面に基づき説明する。
【図面の簡単な説明】
【０００６】
【図１】本考案の一実施形態を正面から見た図である。
【図２】本考案の一実施形態を正面から見た図である。
【図３】本考案の別の実施形態を正面から見た図である。
【図４】本考案の別の実施形態を正面から見た図である。
【考案を実施するための形態】
【０００７】
図１は、開封前の表示部を示す。表示部は、見出しパラメータ（１Ａ）と、論理的に続く選択値（２Ａ）を有する。見出しパラメータは、時間的性質又はその一部であり、後続の選択値は、数字又は文字の形式で見出しパラメータに提示される時間的性質（日、週、月、年）の単位を示す。表示部は、開封機構（３Ａ）を有し、この開封機構は、表示部の表面層にあるタブであり、底部層とは固定されていない。表示部は、相互に付着された２つの表面から成る。上部表面にある選択値（２Ａ）は、カバーストリップを形成し、このカバーストリップを開封機構から剥離すること及び所望の箇所で切断することにより、選択値（２Ａ）を見出しパラメータ（１Ａ）と組み合わせることができる。見出しパラメータ（１Ａ）及び選択値（２Ａ）の領域は、様々な形状であってよく、カバーストリップ（２Ａ）の切断箇所は、位置合わせするため、また切り離しを容易にするために、ミシン目又は形状の減少によって補助されている。
【０００８】
図２は、開封された表示部を示す。本考案により表示される時間は、表示部が開封機構（３Ａ）により開封されたときに形成され、この開封機構（３Ａ）からは、所望の選択値（２Ａ）に達して、カバーストリップの下にある露出された位置合わせ線（４Ａ）により見出しパラメータと結合するまで、カバーストリップが剥離される。この実施形態では選択値（２Ａ）が、表示部のカバーストリップでもある。
【０００９】
図３は、未開封の表示部の別の実施形態を示し、この実施形態では選択値（２Ｂ）が、表示部と一体的な部分を形成しており、この表示部に隣接して、別個のカバーストリップ（５）が通っている。カバーストリップ（５）は、開封機構（３Ｂ）まで、表示部の上部に結合しているため、このカバーストリップは、取り外し可能な、表示部の一部である。この実施形態では、複数のカバーストリップ（５）／位置合わせ線（４Ｂ）を、１つの選択値（２Ｂ）に結合させることができる。例えば、日付視認部の１０の位と１の位を、１つの選択値（２Ｂ）から割り当てることができる。
【００１０】
図４は、開封の示し方について別の実施形態を示す。ここでは、位置合わせ線（４Ｂ）が、開封され切断されたカバーストリップ（５）の下に現れ、所望の選択値（２Ｂ）を見出しパラメータ（１Ｂ）に結合する。
【図１】
0003233828.tif 000003
【図２】
0003233828.tif 000004
【図３】
0003233828.tif 000005
【図４】
0003233828.tif 000006
【手続補正書】
【提出日】令和3年6月29日(2021.6.29)
【手続補正１】
【補正対象書類名】実用新案登録請求の範囲
【補正対象項目名】全文
【補正方法】変更
【補正の内容】
【実用新案登録請求の範囲】
【請求項１】
製品又は食料品の包装に製造又は付着されるユニットである、包装開封日付表示部において、時間的性質を示す見出しパラメータ（１Ａ、１Ｂ）と、各時間的性質の単位を示す選択値（２Ａ、２Ｂ）と、前記表示部のカバーストリップ（５）に結合された表示部開封機構（３Ａ、３Ｂ）とを有することを特徴とする、包装開封日付表示部。
【請求項２】
開封機構（３Ａ、３Ｂ）を使用して、前記表示部のカバーストリップ（５）を所望の箇所から剥離及び切断することにより、位置合わせ線（４Ａ、４Ｂ）を形成し、当該位置合わせ線は、選択値（２Ａ）と見出しパラメータ（１）とを相互に結合することを特徴とする、請求項１に記載の包装開封日付表示部。
【請求項３】
開封機構（３Ａ、３Ｂ）のいずれかが開封されることにより、複数のカバーストリップ（５）が同時に剥離され、所望の選択値（２）と見出しパラメータ（１）とを相互に結合可能にすることを特徴とする、請求項１に記載の包装開封日付表示部。